【事件の表示】
　特許第３１６１４５７号「コンバインの刈取装置」の請求項１に係る特許に対する特許異議の申立てについて、次のとおり決定する。
【結　論】
　訂正を認める。
　特許第３１６１４５７号の請求項１に係る特許を維持する。
【理　由】
１．手続の経緯
　本件特許第３１６１４５７号の請求項１に係る発明についての出願は、平成３年１月１８日に特許出願した特願平３−１８２３６号の一部を平成１０年５月１１日に新たな特許出願（特願平１０−１２７５９２号）とし、さらにこの特許出願の一部を平成１１年６月１８日に新たな特許出願とし、平成１３年２月２３日にその発明について特許権の設定登録がなされた後、その特許について、平成１３年１０月２５日にヤンマー農機株式会社より特許異議の申立てがなされ、取消しの理由を通知したところ平成１４年１２月１０日に訂正請求がなされたものである。
　
２．訂正請求について
２-1．訂正の内容
　特許権者が求めている訂正の内容は、特許明細書を訂正明細書のとおりに訂正しようとするものである（下線部が訂正個所である）。
（ａ）特許請求の範囲の【請求項１】に記載された「穀稈を分草する複数の分草体１７と、該分草体１７によって分草した穀稈を引起す複数の引起装置１８と、該引起装置１８によって引起した穀稈を刈り取る刈刃２２と、該刈刃２２によって刈り取った穀稈の株元側を挾持搬送する株元側搬送装置２３及び穂先側を搬送する穂先側搬送装置２４とを設けた刈取装置において、前記複数の引起装置１８を連動して駆動する上部横伝動軸５２を引起装置１８の上端より上方に配置し、前記引起装置１８と穂先側搬送装置２４とを、該上部横伝動軸５２から下向きに設けた伝動軸Ａを介して駆動すると共に、該伝動軸Ａの上下方向中間部を前記引起装置１８の背面上部側に支持したことを特徴とするコンバインの刈取装置。」を、
「穀稈を分草する複数の分草体１７と、該分草体１７によって分草した穀稈を引起す複数の引起装置１８と、該引起装置１８によって引起した穀稈を刈り取る刈刃２２と、該刈刃２２によって刈り取った穀稈の株元側を挾持搬送する株元側搬送装置２３及び穂先側を搬送する
複数の
複数の
左右中間部の刈取条に対応する
前記
て構成し、前記上部横伝動軸５２へ動力伝達する側部縦伝動軸５１を設け、該側部縦伝動軸５１の下端側へ駆動入力する下部横伝動軸５０を、刈取部入力プーリ４８に連動する縦伝動軸４９を介して駆動する構成とし、前記下部横伝動軸５０の他端側には、前記伝動軸Ａから駆動される穂先側搬送装置２４の株元側を搬送するための株元側搬送装置２３の駆動軸６５を上向きに設けて構成し、左右−側寄りの刈取条に対応する穂先側搬送装置２４と株元側搬送装置２３とを、前記側部縦伝動軸５１の上下方向中間部から刈幅方向内側へ突出した側部横伝動筒５４内に設ける伝動軸を介して駆動するように構成し、さらに、前記下部横伝動軸５０を内装する下部伝動筒１０は、コンバインの機体１側に基部を取付けるとともに前記縦伝動軸４９を内装する縦支持筒６の下部に固定する中央下部伝動筒２８と、前記側部縦伝動軸５１を内装する側部伝動筒１１の下部を取付ける左側下部伝動筒２９と、前記側部伝動筒１１の他側で上方に起立するように設けた伝動機構を有しない側部支持フレーム１２の下部を取付ける右側下部伝動筒３０とにより ３分割して構成し
（ｂ）特許明細書の段落【０００８】（特許公報４欄２０〜３２行）に記載された「即ち、穀稈を分草する複数の分草体１７と、該分草体１７によって分草した穀稈を引起す複数の引起装置１８と、該引起装置１８によって引起した穀稈を刈り取る刈刃２２と、該刈刃２２によって刈り取った穀稈の株元側を挟持搬送する株元側搬送装置２３及び穂先側を搬送する穂先側搬送装置２４とを設けた刈取装置において、前記複数の引起装置１８を連動して駆動する上部機伝動軸５２を引起装置１８の上端より上方に配置し、前記引起装置１８と穂先側搬送装置２４とを、該上部横伝動軸５２から下向きに設けた伝動軸Ａを介して駆動すると共に、該伝動軸Ａの上下方向中間部を前記引起装置１８の背面上部側に支持したことを特徴とするコンバインの刈取装置としたものである。」を、
「即ち、穀稈を分草する複数の分草体１７と、該分草体１７によって分草した穀稈を引起す複数の引起装置１８と、該引起装置１８によって引起した穀稈を刈り取る刈刃２２と、該刈刃２２によって刈り取った穀稈の株元側を挾持搬送する株元側搬送装置２３及び穂先側を搬送する
複数の
複数の
左右中間部の刈取条に対応する
前記
て構成し、前記上部横伝動軸５２へ動力伝達する側部縦伝動軸５１を設け、該側部縦伝動軸５１の下端側へ駆動入力する下部横伝動軸５０を、刈取部入力プーリ４８に連動する縦伝動軸４９を介して駆動する構成とし、前記下部横伝動軸５０の他端側には、前記伝動軸Ａから駆動される穂先側搬送装置２４の株元側を搬送するための株元側搬送装置２３の駆動軸６５を上向きに設けて構成し、左右−側寄りの刈取条に対応する穂先側搬送装置２４と株元側搬送装置２３とを、前記側部縦伝動軸５１の上下方向中間部から刈幅方向内側へ突出した側部横伝動筒５４内に設ける伝動軸を介して駆動するように構成し、さらに、前記下部横伝動軸５０を内装する下部伝動筒１０は、コンバインの機体１側に基部を取付けるとともに前記縦伝動軸４９を内装する縦支持筒６の下部に固定する中央下部伝動筒２８と、前記側部縦伝動軸５１を内装する側部伝動筒１１の下部を取付ける左側下部伝動筒２９と、前記側部伝動筒１１の他側で上方に起立するように設けた伝動機構を有しない側部支持フレーム１２の下部を取付ける右側下部伝動筒３０とにより３分割して構成し
２-2．訂正の適否
　上記（ａ）の訂正は、本件請求項１に係る発明に、「上部横伝動軸５２へ動力伝達する側部縦伝動軸５１を設け、該側部縦伝動軸５１の下端側へ駆動入力する下部横伝動軸５０を、刈取部入力プーリ４８に連動する縦伝動軸４９を介して駆動する構成とし、前記下部横伝動軸５０の他端側には、前記伝動軸Ａから駆動される穂先側搬送装置２４の株元側を搬送するための株元側搬送装置２３の駆動軸６５を上向きに設けて構成し、左右−側寄りの刈取条に対応する穂先側搬送装置２４と株元側搬送装置２３とを、前記側部縦伝動軸５１の上下方向中間部から刈幅方向内側へ突出した側部横伝動筒５４内に設ける伝動軸を介して駆動するように構成し、さらに、前記下部横伝動軸５０を内装する下部伝動筒１０は、コンバインの機体１側に基部を取付けるとともに前記縦伝動軸４９を内装する縦支持筒６の下部に固定する中央下部伝動筒２８と、前記側部縦伝動軸５１を内装する側部伝動筒１１の下部を取付ける左側下部伝動筒２９と、前記側部伝動筒１１の他側で上方に起立するように設けた伝動機構を有しない側部支持フレーム１２の下部を取付ける右側下部伝動筒３０とにより３分割して構成」するという構成要件をさらに付加するものであるから、特許請求の範囲の減縮を目的とするものである。
　また、（ｂ）の訂正は、発明の詳細な説明の記載を訂正後の特許請求の範囲の記載と整合させるためのものであるから、明りょうでない記載の釈明を目的とするものである。
　そして、上記（ａ）の訂正において、付加する構成要件は特許明細書の段落【００１６】、【００２５】〜【００２７】、【００２９】及び【００３６】並びに図に記載されているので、上記（ａ）及び（ｂ）の訂正は、願書に添付した明細書又は図面に記載した事項の範囲内においてするものであって新規事項を追加するものでなく、かつ、実質上特許請求の範囲を拡張し、又は変更するものではない。
２-3．むすび
　以上のとおりであるから、上記訂正は特許法等の一部を改正する法律（平成６年法律第１１６号）附則第６条第１項の規定によりなお従前の例によるとされる、平成１１年改正前の特許法第１２０条の４第３項において準用する平成６年法律第１１６号による改正前の特許法第１２６条第１項ただし書及び第２項の規定に適合するので、当該訂正を認める。
　
３．特許異議申立てについて
３-1．異議申立て理由の概要
　異議申立人は、下記の証拠を提出し、次のように主張する。
（１）本件の請求項１に係る発明は、甲第１号証の１ないし甲第３号証の２に記載された発明に基いて当業者が容易に発明をすることができたものであるから、その特許は特許法第２９条第２項の規定に違反してされたものである。
（２）本件の請求項１に係る発明は、本件特許出願と同日に出願された特許出願である特許第２９８０１０３号（甲第４号証）発明と同一であるから、その特許は特許法第３９条第２項の規定に違反してされたものである。
　　　　　　　　　　　　　　　記
　甲第１号証の１：実開昭５５−１３３７３７号公報
　甲第１号証の２：実開昭５６−９６９３５号公報
　甲第２号証の１：特公昭５７−３４７７４号公報
　甲第２号証の２：特公昭５８−５００４号公報
　甲第３号証の１：実開昭６３−８６７２７号公報
　甲第３号証の２：実開昭６４−６８３５号公報
　甲第４号証：特許第２９８０１０３号公報
　
３-2．本件発明
　上記「２．訂正請求について」で示したように上記訂正が認められるから、本件特許第３１６１４５７号の請求項１に係る発明（以下、「本件発明」という）は、訂正後の特許明細書における特許請求の範囲に記載されたとおりの、
　「穀稈を分草する複数の分草体１７と、該分草体１７によって分草した穀稈を引起す複数の引起装置１８と、該引起装置１８によって引起した穀稈を刈り取る刈刃２２と、該刈刃２２によって刈り取った穀稈の株元側を挟持搬送する株元側搬送装置２３及び穂先側を搬送する複数の穂先側搬送装置２４とを設けた刈取装置において、前記複数の引起装置１８を連動して駆動する上部横伝動軸５２を引起装置１８の上端より上方に配置し、前記複数の引起装置１８と左右中間部の刈取条に対応する穂先側搬送装置２４とを、前記上部横伝動軸５２から下向きに設けた伝動軸Ａを介して駆動すると共に、該伝動軸Ａの上下方向中間部を前記引起装置１８の背面上部側に支持して構成し、前記上部横伝動軸５２へ動力伝達する側部縦伝動軸５１を設け、該側部縦伝動軸５１の下端側へ駆動入力する下部横伝動軸５０を、刈取部入力プーリ４８に連動する縦伝動軸４９を介して駆動する構成とし、前記下部横伝動軸５０の他端側には、前記伝動軸Ａから駆動される穂先側搬送装置２４の株元側を搬送するための株元側搬送装置２３の駆動軸６５を上向きに設けて構成し、左右−側寄りの刈取条に対応する穂先側搬送装置２４と株元側搬送装置２３とを、前記側部縦伝動軸５１の上・下方向中間部から刈幅方向内側へ突出した側部横伝動筒５４内に設ける伝動軸を介して駆動するように構成し、さらに、前記下部横伝動軸５０を内装する下部伝動筒１０は、コンバインの機体１側に基部を取付けるとともに前記縦伝動軸４９を内装する縦支持筒６の下部に固定する中央下部伝動筒２８と、前記側部縦伝動軸５１を内装する側部伝動筒１１の下部を取付ける左側下部伝動筒２９と、前記側部伝動筒１１の他側で上方に起立するように設けた伝動機構を有しない側部支持フレーム１２の下部を取付ける右側下部伝動筒３０とにより３分割して構成したことを特徴とするコンバインの刈取装置。」
である。
　
３-3．特許法第２９条第２項違反について
３-3-1．甲号各証記載の発明
　異議申立人が提示した甲第１号証の１ないし甲第３号証の２には、本件出願時の技術水準を考慮すると、次の発明がそれぞれ記載されていると認められる。
（ａ）甲第１号証の１（実開昭５５−１３３７３７号公報）には、
　穀稈を分草する複数の分草体と、該分草体によって分草した穀稈を引起す複数の引起し装置４ａ，４ｂと、該引起し装置４ａ，４ｂによって引起した穀稈を刈り取る刈刃５と、該刈刃５によって刈り取った穀稈の株元側を挟持搬送する株元側搬送装置とを設けた刈取装置において、前記複数の引起し装置４ａ，４ｂを連動して駆動する連動具１７を引起し装置４ａ，４ｂの上端より上方に配置し、前記引起し装置４ａ，４ｂと株元側を掻き込む掻き込み輪体８ｂを、該上部横伝動軸１７から下向きに設けた伝動軸１６を介して駆動すると共に、該伝動具１６の上下方向中間部を前記引起し装置４ａ，４ｂの背面上部側に支持したコンバイン。
（ｂ）甲第１号証の２（実開昭５６−９６９３５号公報）には、
　穀稈を分草する複数の分草体と、該分草体によって分草した穀稈を引起す複数の引起装置２Ａ，２Ｂと、該引起装置２Ａ，２Ｂによって引起した穀稈を刈り取るバリカン型刈取装置１と、該バリカン型刈取装置１によって刈り取った穀稈の株元側を挟持搬送する株元側搬送装置を設けた刈取装置において、前記複数の引起装置２Ａ，２Ｂを連動して駆動する上部横伝動軸１１を引起装置２Ａ，２Ｂの上端より上方に配置し、前記引起装置２Ａ，２Ｂと株元側を掻き込む茎稈掻込用パッカー６Ｂを、該上部横伝動軸１１から下向きに設けた伝動軸１０，１２を介して駆動すると共に、該伝動軸１０の上下方向中間部を前記引起装置２Ａ，２Ｂの背面上部側に支持したコンバイン。
（ｃ）甲第２号証の１（特公昭５７−３４７７４号公報）には、
　穀稈を分草する複数の分草体と、該分草体によって分草した穀稈を引起す複数の引起し装置１１，１２，１３と、該引起し装置１１，１２，１３によって引起した穀稈を刈り取る刈刃４’と、該刈刃４’によって刈り取った穀稈の株元側を挟持搬送する株元側搬送装置及び茎稈の穂部を掻き込む掻き込み輪体２３、２４とを設けた刈取装置において、複数の引起し装置１１を連動して駆動する第四伝動軸９を引起し装置１１，１２，１３の上方側に配置し、上記茎稈の穂部を掻き込む掻き込み輪体２３、２４を、該第四伝動軸９から下向きに設けた第七伝動軸２１を介して駆動すると共に、第七伝動軸２１の上下方向中間部を前記引起し装置１１，１２，１３の背面上部側に支持したコンバイン。
（ｄ）甲第２号証の２（特公昭５８−５００４号公報）には、
　穀稈を分草する複数の分草体と、該分草体によって分草した穀稈を引起す複数の引起し装置１２，１３，１４と、該引起し装置１２，１３，１４によって引起した穀稈を刈り取る刈刃１と、該刈刃１によって刈り取った穀稈の株元側を挟持搬送する株元側搬送体２５及び引起し装置１２，１３，１４の直後方で茎稈をこの引起経路から後方に引き抜く高さ位置に配置した掻込み回転体１８，１９とを設けた刈取装置において、複数の引起し装置１２，１３，１４を連動して駆動する横軸３１を引起し装置１２，１３，１４の上方側に配置し、上記穂先側搬送装置（引起装置の直後方で茎稈をこの引起経路がら後方に引き抜く高さ位置に配置したする株元側搬送）を、該横軸３１から下向きに設けた動力取出し軸３５，３６を介して駆動すると共に、動力取出し軸３５，３６の上下方向中間部を前記引起装置の背面上部側に支持したコンバイン。
（ｅ）甲第３号証の１（実開昭６３−８６７２７号公報）又は甲第３号証の２（実開昭６４−６８３５号公報）には、
　穀稈を分草する複数の分草体と、該分草体によって分草した穀稈を引起す複数の引起装置と、該引起装置によって引起した穀稈を刈り取る刈刃と、該刈刃によって刈り取った穀稈の株元側を挟持搬送する株元側搬送装置とを設けた刈取装置において、前記複数の引起装置を連動して駆動する上部横伝動軸を引起装置の上端より上方に配置し、前記引起装置を、該上部横伝動軸から下向きに設けた伝動軸を介して駆動すると共に、該伝動軸の上下方向中間部を前記引起装置の背面上部側に支持したコンバイン。
３-3-2．対比・判断
　本件発明と甲第１号証の１ないし甲第３号証の２に記載された発明とを対比すると、甲第１号証の１ないし甲第３号証の２には、本件発明の構成要件である「側部縦伝動軸５１の下端側へ駆動入力する下部横伝動軸５０を、刈取部入力プーリ４８に連動する縦伝動軸４９を介して駆動する構成とし、前記下部横伝動軸５０の他端側には、前記伝動軸Ａから駆動される穂先側搬送装置２４の株元側を搬送するための株元側搬送装置２３の駆動軸６５を上向きに設けて構成し、左右−側寄りの刈取条に対応する穂先側搬送装置２４と株元側搬送装置２３とを、前記側部縦伝動軸５１の上・下方向中間部から刈幅方向内側へ突出した側部横伝動筒５４内に設ける伝動軸を介して駆動するように構成し、さらに、前記下部横伝動軸５０を内装する下部伝動筒１０は、コンバインの機体１側に基部を取付けるとともに前記縦伝動軸４９を内装する縦支持筒６の下部に固定する中央下部伝動筒２８と、前記側部縦伝動軸５１を内装する側部伝動筒１１の下部を取付ける左側下部伝動筒２９と、前記側部伝動筒１１の他側で上方に起立するように設けた伝動機構を有しない側部支持フレーム１２の下部を取付ける右側下部伝動筒３０とにより３分割して構成した」点が記載されておらず、かつ、示唆されてもいない。
　そして、本件発明は特許明細書記載の効果を奏するものである。
　したがって、本件発明が、甲第１号証の１ないし甲第号証の２に記載された発明に基いて当業者が容易に発明をすることができたものとすることはできない。
　
３-4．特許法第３９条第２項違反について
３-4-1．同日出願発明
　本件発明と同日に出願された特許第２９８０１０３号の請求項１に係る発明（以下、「同日出願発明」という）は、その特許明細書の特許請求の範囲に記載されたとおりの、
　「穀稈を分草する複数の分草体１７と、該分草体１７によって分草した穀稈を引起す複数の引起装置１８と、該引起装置１８によって引起した穀稈を刈り取る刈刃２２と、該刈刃２２によって刈り取った穀稈の株元側を挾持搬送する株元側搬送装置２３及び穂先側を搬送する穂先側搬送装置２４とを設けた刈取装置において、前記複数の引起装置１８を連動して駆動する上部横伝動軸５２を引起装置１８の上端より上方に配置し、前記引起装置１８と穂先側搬送装置２４とを、該上部横伝動軸５２から下向きに設けた伝動軸Ａを介して駆動すると共に、該伝動軸Ａを前記引起装置１８の非引起作用部の後側に配置したことを特徴とするコンバインの刈取装置。」である。
３-4-2．対比・判断
　本願発明と同日出願発明とを対比すると、
　本願発明は、「上部横伝動軸５２へ動力伝達する側部縦伝動軸５１を設け、該側部縦伝動軸５１の下端側へ駆動入力する下部横伝動軸５０を、刈取部入力プーリ４８に連動する縦伝動軸４９を介して駆動する構成とし、前記下部横伝動軸５０の他端側には、前記伝動軸Ａから駆動される穂先側搬送装置２４の株元側を搬送するための株元側搬送装置２３の駆動軸６５を上向きに設けて構成し、左右−側寄りの刈取条に対応する穂先側搬送装置２４と株元側搬送装置２３とを、前記側部縦伝動軸５１の上・下方向中間部から刈幅方向内側へ突出した側部横伝動筒５４内に設ける伝動軸を介して駆動するように構成し、さらに、前記下部横伝動軸５０を内装する下部伝動筒１０は、コンバインの機体１側に基部を取付けるとともに前記縦伝動軸４９を内装する縦支持筒６の下部に固定する中央下部伝動筒２８と、前記側部縦伝動軸５１を内装する側部伝動筒１１の下部を取付ける左側下部伝動筒２９と、前記側部伝動筒１１の他側で上方に起立するように設けた伝動機構を有しない側部支持フレーム１２の下部を取付ける右側下部伝動筒３０とにより ３分割して構成」することを構成要件としているのに対し、同日出願発明では、前記構成を構成要件としていない点で相違する。
　そして、前記構成は周知・慣用技術とはいえないから、本願発明と同日出願発明とが同一であるとすることはできない。
　
３-5．むすび
　以上のとおりであるから、特許異議の申立ての理由によっては本件発明についての特許を取り消すことはできない。
　また、他に本件発明についての特許を取り消すべき理由を発見しない。
　したがって、本件発明についての特許は拒絶の査定をしなければならない特許出願に対してされたものと認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１５年３月１３日（２００３．３．１３）
【訂正の要旨】
▲１▼　訂正事項ａ
　特許明細書の特許請求の範囲の請求項１の、
「穀稈を分草する複数の分草体１７と、該分草体１７によって分草した穀稈を引起す複数の引起装置１８と、該引起装置１８によって引起した穀稈を刈り取る刈刃２２と、該刈刃２２によって刈り取った穀稈の株元側を挾持搬送する株元側搬送装置２３及び穂先側を搬送する穂先側搬送装置２４とを設けた刈取装置において、前記複数の引起装置１８を連動して駆動する上部横伝動軸５２を引起装置１８の上端より上方に配置し、前記引起装置１８と穂先側搬送装置２４とを、該上部横伝動軸５２から下向きに設けた伝動軸Ａを介して駆動すると共に、該伝動軸Ａの上下方向中間部を前記引起装置１８の背面上部側に支持したことを特徴とするコンバインの刈取装置。」の記載を、
「穀稈を分草する複数の分草体１７と、該分草体１７によって分草した穀稈を引起す複数の引起装置１８と、該引起装置１８によって引起した穀稈を刈取る刈刃２２と、該刈刃２２によって刈り取った穀稈の株元側を挾持搬送する株元側搬送装置２３及び穂先側を搬送する
複数の
複数の
左右中間部の刈取条に対応する
前記
て構成し、前記上部横伝動軸５２へ動力伝達する側部縦伝動軸５１を設け、該側部縦伝動軸５１の下端側へ駆動入力する下部横伝動軸５０を、刈取部入力プーリ４８に連動する縦伝動軸４９を介して駆動する構成とし、前記下部横伝動軸５０の他端側には、前記伝動軸Ａから駆動される穂先側搬送装置２４の株元側を搬送するための株元側搬送装置２３の駆動軸６５を上向きに設けて構成し、左右一側寄りの刈取条に対応する穂先側搬送装置２４と株元側搬送装置２３とを、前記側部縦伝動軸５１の上下方向中間部から刈幅方向内側へ突出した側部横伝動筒５４内に設ける伝動軸を介して駆動するように構成し、さらに、前記下部横伝動軸５０を内装する下部伝動筒１０は、コンバインの機体１側に基部を取付けるとともに前記縦伝動軸４９を内装する縦支持筒６の下部に固定する中央下部伝動筒２８と、前記側部縦伝動軸５１を内装する側部伝動筒１１の下部を取付ける左側下部伝動筒２９と、前記側部伝動筒１１の他側で上方に起立するように設けた伝動機構を有しない側部支持フレーム１２の下部を取付ける右側下部伝動筒３０とにより３分割して構成
と訂正する。
▲２▼　訂正事項ｂ
　特許明細書の段落０００８の
「【課題を解決するための手段】本発明は、上述の如き課題を解決するために、以下のような技術的手段を講じる。
　即ち、穀稈を分草する複数の分草体１７と、該分草体１７によって分草した穀稈を引起す複数の引起装置１８と、該引起装置１８によって引起した穀稈を刈り取る刈刃２２と、該刈刃２２によって刈り取った穀稈の株元側を挾持搬送する株元側搬送装置２３及び穂先側を搬送する穂先側搬送装置２４とを設けた刈取装置において、前記複数の引起装置１８を連動して駆動する上部横伝動軸５２を引起装置１８の上端より上方に配置し、前記引起装置１８と穂先側搬送装置２４とを、該上部横伝動軸５２から下向きに設けた伝動軸Ａを介して駆動すると共に、該伝動軸Ａの上下方向中間部を前記引起装置１８の背面上部側に支持したことを特徴とするコンバインの刈取装置としたものである。」の記載を、
「【課題を解決するための手段】本発明は、上述の如き課題を解決するために、以下のような技術的手段を講じる。
　即ち、穀稈を分草する複数の分草体１７と、該分草体１７によって分草した穀稈を引起す複数の引起装置１８と、該引起装置１８によって引起した穀稈を刈り取る刈刃２２と、該刈刃２２によって刈り取った穀稈の株元側を挾持搬送する株元側搬送装置２３及び穂先側を搬送する
複数の
複数の
左右中間部の刈取条に対応する
前記
て構成し、前記上部横伝動軸５２へ動力伝達する側部縦伝動軸５１を設け、該側部縦伝動軸５１の下端側へ駆動入力する下部横伝動軸５０を、刈取部入力プーリ４８に連動する縦伝動軸４９を介して駆動する構成とし、前記下部横伝動軸５０の他端側には、前記伝動軸Ａから駆動される穂先側搬送装置２４の株元側を搬送するための株元側搬送装置２３の駆動軸６５を上向きに設けて構成し、左右一側寄りの刈取条に対応する穂先側搬送装置２４と株元側搬送装置２３とを、前記側部縦伝動軸５１の上下方向中間部から刈幅方向内側へ突出した側部横伝動筒５４内に設ける伝動軸を介して駆動するように構成し、さらに、前記下部横伝動軸５０を内装する下部伝動筒１０は、コンバインの機体１側に基部を取付けるとともに前記縦伝動軸４９を内装する縦支持筒６の下部に固定する中央下部伝動筒２８と、前記側部縦伝動軸５１を内装する側部伝動筒１１の下部を取付ける左側下部伝動筒２９と、前記側部伝動筒１１の他側で上方に起立するように設けた伝動機構を有しない側部支持フレーム１２の下部を取付ける右側下部伝動筒３０とにより３分割して構成
と訂正する。
（５４）【発明の名称】
コンバインの刈取装置
（５７）【特許請求の範囲】
　【請求項１】　穀稈を分草する複数の分草体１７と、該分草体１７によって分草した穀稈を引起す複数の引起装置１８と、該引起装置１８によって引起した穀稈を刈り取る刈刃２２と、該刈刃２２によって刈り取った穀稈の株元側を挾持搬送する株元側搬送装置２３及び穂先側を搬送する
複数の
複数の
左右中間部の刈取条に対応する
前記
て構成し、前記上部横伝動軸５２へ動力伝達する側部縦伝動軸５１を設け、該側部縦伝動軸５１の下端側へ駆動入力する下部横伝動軸５０を、刈取部入力プーリ４８に連動する縦伝動軸４９を介して駆動する構成とし、前記下部横伝動軸５０の他端側には、前記伝動軸Ａから駆動される穂先側搬送装置２４の株元側を搬送するための株元側搬送装置２３の駆動軸６５を上向きに設けて構成し、左右一側寄りの刈取条に対応する穂先側搬送装置２４と株元側搬送装置２３とを、前記側部縦伝動軸５１の上下方向中間部から刈幅方向内側へ突出した側部横伝動筒５４内に設ける伝動軸を介して駆動するように構成し、さらに、前記下部横伝動軸５０を内装する下部伝動筒１０は、コンバインの機体１側に基部を取付けるとともに前記縦伝動軸４９を内装する縦支持筒６の下部に固定する中央下部伝動筒２８と、前記側部縦伝動軸５１を内装する側部伝動筒１１の下部を取付ける左側下部伝動筒２９と、前記側部伝動筒１１の他側で上方に起立するように設けた伝動機構を有しない側部支持フレーム１２の下部を取付ける右側下部伝動筒３０とにより３分割して構成
【発明の詳細な説明】
　【発明の属する技術分野】
　本発明は、コンバインの刈取装置に関するものである。
　【従来の技術】
　従来より、コンバインの刈取装置には、穀稈を分草する複数の分草体と、該分草体によって分草した穀稈を引起す複数の引起装置と、該引起装置によって引起した穀稈を刈り取る刈刃と、該刈刃によって刈り取った穀稈の株元側を挾持搬送する株元側搬送装置及び穂先側を搬送する穂先側搬送装置とが設けられている。
　そして、前記穂先側搬送装置は、該穂先側搬送装置の下方から上向きに設けた伝動軸の上端部によって駆動する構成が一般的であった。
　また、実開昭５６−１０７２４７号のマイクロフィルムには、穀稈を分草する複数の分草体と、該分草体によって分草した穀稈を引起す複数の引起装置と、該引起装置によって引起した穀稈を刈り取る刈刃と、該刈刃によって刈り取った穀稈の株元側を挾持搬送する株元側搬送装置及び穂先側を搬送する穂先側搬送装置とを設けた刈取装置において、前記複数の引起装置を連動して駆動する上部横伝動軸を引起装置の上端より下方に配置し、引起装置を該上部横伝動軸から直接駆動する一方、穂先側搬送装置を、該上部横伝動軸から下向きに設けた伝動軸を介して駆動すると共に、該伝動軸の上端部を引起装置の背面上部側に支持したコンバインの刈取装置が記載されている。
　また、実開昭６３−８６７２７号のマイクロフィルムには、穀稈を分草する複数の分草体と、該分草体によって分草した穀稈を引起す複数の引起装置と、該引起装置によって引起した穀稈を刈り取る刈刃と、該刈刃によって刈り取った穀稈の株元側を挾持搬送する株元側搬送装置とを設けた刈取装置において、前記複数の引起装置を連動して駆動する上部横伝動軸を引起装置の上端より上方に配置し、引起装置を該上部横伝動軸から下向きに設けた伝動軸を介して駆動すると共に、該伝動軸の下端部を引起装置の背面上部側に支持したコンバインの刈取装置が記載されている。
　【発明が解決しようとする課題】
　上述の従来技術においては、穀稈を刈取る場合、刈取られた穀稈は、穀稈搬送通路を後方へ搬送されて、後側の引継搬送装置への引継部に合流する。
　このとき、穂先側搬送装置が、該穂先側搬送装置の下方から上向きに設けた伝動軸の上端部によって駆動される構成であると、この伝動軸に搬送穀稈の株元側が干渉して、この伝動軸の周辺に藁屑が堆積しやすく、穀稈搬送の妨げとなって刈取作業の能率が低下するという問題があった。
　また、搬送中の穀稈の穂先側が、伝動軸等の刈取装置の構造物に干渉すると、脱粒を生じ、穀粒の収穫損失となる問題があった。
　また、上述の実開昭５６−１０７２４７号のマイクロフィルムに記載された構成では、引起装置が上部横伝動軸によって直接駆動される構成であり、この上部横伝動軸が引起装置の上端より下方に配置されているため、引起された穀稈の穂先部がこの上部横伝動軸に干渉し、脱粒や穀稈姿勢の乱れを生じ易くなる問題がある。
　また、実開昭６３−８６７２７号のマイクロフィルムに記載された構成では、刈取穀稈の穂先側を搬送する穂先側搬送装置を適正な高さに備えていないために、穀稈姿勢の乱れを生じ易くなる問題がある。
　尚、実開昭６３−８６７２７号のマイクロフィルムに記載された構成では、図示において引起装置後方に斜設された搬送装置を穂先側搬送装置として捉えても、この搬送装置は後部の横軸を中心として上下に回動調節される構成であり、このような搬送装置を、引起装置を駆動する上部横伝動軸側から連動して駆動し得る旨の技術思想は示唆されていない。従って、上述の実開昭５６−１０７２４７号のマイクロフィルムに開示された技術と実開昭６３−８６７２７号のマイクロフィルムに開示された技術とを組み合わせて構成しようとしても、上部横伝動軸を引起装置の上端より上方に配置し、引起装置と穂先側搬送装置との両方をこの上部横伝動軸から下向きに設けた伝動軸を介して駆動する構成とすることはできない。従って、穂先側搬送装置を適正な高さに配置しながらこれを駆動する上部横伝動軸を高い位置に配置することはできず、このため、該上部横伝動軸に搬送穀稈の穂先側が干渉しやすくなり、刈取穀稈の搬送を円滑に行うことができないという問題が残る。また、引起装置と穂先側搬送装置とを一連の伝動軸によって駆動することができず、この引起装置及び穂先側搬送装置の伝動構成を簡素化して安価に提供することができないという問題が残る。
　【課題を解決するための手段】
　本発明は、上述の如き課題を解決するために、以下のような技術的手段を講じる。
　即ち、穀稈を分草する複数の分草体１７と、該分草体１７によって分草した穀稈を引起す複数の引起装置１８と、該引起装置１８によって引起した穀稈を刈り取る刈刃２２と、該刈刃２２によって刈り取った穀稈の株元側を挾持搬送する株元側搬送装置２３及び穂先側を搬送する
複数の
複数の
左右中間部の刈取条に対応する
前記
て構成し、前記上部横伝動軸５２へ動力伝達する側部縦伝動軸５１を設け、該側部縦伝動軸５１の下端側へ駆動入力する下部横伝動軸５０を、刈取部入力プーリ４８に連動する縦伝動軸４９を介して駆動する構成とし、前記下部横伝動軸５０の他端側には、前記伝動軸Ａから駆動される穂先側搬送装置２４の株元側を搬送するための株元側搬送装置２３の駆動軸６５を上向きに設けて構成し、左右一側寄りの刈取条に対応する穂先側搬送装置２４と株元側搬送装置２３とを、前記側部縦伝動軸５１の上下方向中間部から刈幅方向内側へ突出した側部横伝動筒５４内に設ける伝動軸を介して駆動するように構成し、さらに、前記下部横伝動軸５０を内装する下部伝動筒１０は、コンバインの機体１側に基部を取付けるとともに前記縦伝動軸４９を内装する縦支持筒６の下部に固定する中央下部伝動筒２８と、前記側部縦伝動軸５１を内装する側部伝動筒１１の下部を取付ける左側下部伝動筒２９と、前記側部伝動筒１１の他側で上方に起立するように設けた伝動機構を有しない側部支持フレーム１２の下部を取付ける右側下部伝動筒３０とにより３分割して構成
　これにより、コンバイン作業においては、圃場に植立する穀稈を複数の分草体１７によって分草し、この分草された穀稈を複数の引起装置１８によって引起し、この引起された穀稈を刈刃２２によって刈り取る。
　そして、この刈り取られた穀稈を、株元側搬送装置２３と穂先側搬送装置２４とによって搬送した後、脱穀装置へ供給して脱穀処理する。
　このようなコンバイン作業において、複数の引起装置１８を連動して駆動する上部横伝動軸５２が引起装置１８の上端より上方に配置されるため、該上部横伝動軸５２下方に比較的高い穀稈通路が形成される。
　これによって、引起中ないし搬送中の穀稈が上部横伝動軸５２に干渉しにくくなって脱粒の発生や穀稈姿勢の乱れが少なくなる。
　また、穂先側搬送装置２４が上部横伝動軸５２から下向きに設けた伝動軸Ａを介して駆動される構成のため、穂先側搬送装置２４の下側に開放的な空間が形成される。
　これによって、穂先側搬送装置２４下側における藁屑の堆積が少なくなって、穀稈の搬送が円滑に行なわれる。
　また、引起装置１８も、穂先側搬送装置２４と共に、上部横伝動軸５２から下向きに設けた伝動軸Ａを介して駆動される構成のため、該引起装置１８と穂先側搬送装置２４との伝動構成が簡素化される。
　また、このように引起装置１８と穂先側搬送装置２４とを駆動する伝動軸Ａの上下方向中間部が引起装置１８の背面上部側に支持されるため、この引起装置１８を強度メンバーとして穂先側搬送装置２４の支持剛性が向上し、穀稈の搬送が円滑に行われる。
　【発明の効果】
　以上のように、本発明においては、穀稈を分草する複数の分草体１７と、該分草体１７によって分草した穀稈を引起す複数の引起装置１８と、該引起装置１８によって引起した穀稈を刈り取る刈刃２２と、該刈刃２２によって刈り取った穀稈の株元側を挾持搬送する株元側搬送装置２３及び穂先側を搬送する
複数の
複数の
左右中間部の刈取条に対応する
前記
て構成し、前記上部横伝動軸５２へ動力伝達する側部縦伝動軸５１を設け、該側部縦伝動軸５１の下端側へ駆動入力する下部横伝動軸５０を、刈取部入力プーリ４８に連動する縦伝動軸４９を介して駆動する構成とし、前記下部横伝動軸５０の他端側には、前記伝動軸Ａから駆動される穂先側搬送装置２４の株元側を搬送するための株元側搬送装置２３の駆動軸６５を上向きに設けて構成し、左右一側寄りの刈取条に対応する穂先側搬送装置２４と株元側搬送装置２３とを、前記側部縦伝動軸５１の上下方向中間部から刈幅方向内側へ突出した側部横伝動筒５４内に設ける伝動軸を介して駆動するように構成し、さらに、前記下部横伝動軸５０を内装する下部伝動筒１０は、コンバインの機体１側に基部を取付けるとともに前記縦伝動軸４９を内装する縦支持筒６の下部に固定する中央下部伝動筒２８と、前記側部縦伝動軸５１を内装する側部伝動筒１１の下部を取付ける左側下部伝動筒２９と、前記側部伝動筒１１の他側で上方に起立するように設けた伝動機構を有しない側部支持フレーム１２の下部を取付ける右側下部伝動筒３０とにより３分割して構成
　また、引起装置１８と穂先側搬送装置２４とを上部横伝動軸５２から下向きに設けた伝動軸Ａを介して共に駆動できるため、引起装置１８及び穂先側搬送装置２４の伝動構成を簡素化して安価に提供することができる。
　また、このように引起装置１８と穂先側搬送装置２４とを駆動する伝動軸Ａの上下方向中間部を引起装置１８の背面上部側に支持することにより、穂先側搬送装置２４の支持剛性が向上して穀稈の搬送を円滑に行え、刈取作業の能率をより向上させることができる。
　【発明の実施の形態】
　本発明の実施の形態を図により説明すると、１は機体、２は該機体１の下方位置に設けた走行装置、３は前記機体１の上方位置に設けた脱穀装置、４は該脱穀装置３の前側一側位置に設けた操縦部、５は前記脱穀装置３および前記操縦部４の前方位置に設けた刈取部である。該刈取部５は縦支持筒６の先端に刈取部フレーム７を取付け、前記縦支持筒６の基部を前記機体１に回動自在に取付ける。
　前記刈取部フレーム７は、前記縦支持筒６の下部に取付ける左右方向の下部伝動筒１０と、該下部伝動筒１０の左右いずれか一側に上方に起立するように設けた側部伝動筒１１と、前記下部伝動筒１０の左右いずれか他側に上方に起立するように設けた伝動機構を有しない側部支持フレーム１２と、前記側部伝動筒１１および側部支持フレーム１２の上部を連結固定する左右方向の上部伝動筒１３とを有する。前記下部伝動筒１０には前後方向の取付杆１４、１４の基部を固定し、該取付杆１４、１４の先端には左右方向の刈刃フレーム１５を固定し、該刈刃フレーム１５には複数の前後方向の分草杆１６の基部を左右に所定の間隔を置いて固定している。
　前記刈取部５は、前記各分草杆１６の先端に分草体１７をそれぞれ固定し、各分草体１７の後方には分草した穀稈を引起す引起装置１８をそれぞれ設ける。各引起装置１８はその上部を前記上部伝動筒１３に取付けた下向き伝動筒１９に固定し、下部は前記分草杆１６に固定する。前記各引起装置１８の後方には穂先掻込装置２０および株元掻込装置２１をそれぞれ設ける。前記株元掻込装置２１の下方には穀稈の根部を切断する刈刃２２を設ける。刈刃２２は前記刈刃フレーム１５に取付けられている。前記刈刃２２の上方には、切断された穀稈を後方に搬送する株元側搬送装置２３と穂先側搬送装置２４を設ける。前記各株元側搬送装置２３と前記各穂先側搬送装置２４の搬送通路の後側には、前記各株元側搬送装置２３と前記各穂先側搬送装置２４とにより搬送された穀稈を株元引継搬送装置２５と穂先引継搬送装置２６にまで搬送する後側株元搬送装置２７を設けている。
　しかして、前記刈取部５は、刈取る穀稈１条に対して例えば１個の引起装置１８を設けているので、３条刈りでは３個の引起装置１８が、４条刈では４個の引起装置１８を必要とし、刈取る条数に応じた複数の引起装置１８等を取付けられるように左右幅の相違する刈取部フレーム７を数種類製造している。本発明は、前記下部伝動筒１０および上部伝動筒１３の構成を工夫し、刈取る条数に応じて合理的に部品を共通させかつ強度充分の刈取部フレーム７に変更できるようにしたものである。
　前記下部伝動筒１０は、前記縦支持筒６の下部を固定する中央下部伝動筒２８と、前記側部伝動筒１１の下部を取付ける左側下部伝動筒２９と、前記側部支持フレーム１２の下部を取付ける右側下部伝動筒３０とにより構成するが、４条刈の下部伝動筒１０に対して５条刈の下部伝動筒１０の場合は、前記中央下部伝動筒２８はそのままで、前記左側下部伝動筒２９および右側下部伝動筒３０を一株間の距離分の長さ約３０ｃｍ長く形成し、それぞれを固定して構成する。
　５条刈の下部伝動筒１０に対して６条刈の下部伝動筒１０の場合は、前記中央下部伝動筒２８、前記左側下部伝動筒２９および右側下部伝動筒３０はそのままで、更に一株間の距離分の長さ約３０ｃｍのスペーサ３１を前記中央下部伝動筒２８と左側下部伝動筒２９との間に設け、それぞれを固定して形成する。したがって、中央下部伝動筒２８は全ての刈取部５に対応でき、５条刈の下部伝動筒１０と６条刈の下部伝動筒１０では、前記右側下部伝動筒３０および左側下部伝動筒２９を対応させることができる。
　また、前記上部伝動筒１３は、左側上部伝動筒３２と、右側上部伝動筒３３とにより構成し、前記左側上部伝動筒３２には左端に前記側部伝動筒１１の上部を固定するが、左側上部伝動筒３２の右側には前記引起装置１８の下向き伝動筒１９の取付位置を変更できるように二箇所の取付部３４、３５を形成する。前記右側上部伝動筒３３は左端を前記左側上部伝動筒３２との接合部に形成し、右端には下向き伝動筒１９の上部を取付ける。
　そして、３条刈の上部伝動筒１３の場合は、前記左側上部伝動筒３２の取付部３４に下向き伝動筒１９を取付けるが、４条刈の上部伝動筒１３の場合は、前記左側上部伝動筒３２および右側上部伝動筒３３はそのままで、前記左側上部伝動筒３２と右側上部伝動筒３３との間にスペーサ３６を設け、前記左側上部伝動筒３２の取付部３５に逆Ｔ型形状の下向き伝動筒１９の上部を取付け、該下向き伝動筒１９に２個の引起装置１８を取付ける。
　４条刈の上部伝動筒１３に対して、５条刈の上部伝動筒１３の場合は、前記左側上部伝動筒３２および右側上部伝動筒３３はそのままで、前記スペーサ３６より短かいスペーサ３７を前記左側上部伝動筒３２の右端に取付け、スペーサ３７と前記右側上部伝動筒３３との間に取付部３８を有する中間上部伝動筒３９を設け、前記取付部３８にクランク形状の下向き伝動筒１９の上部を取付けて構成する。
　５条刈の上部伝動筒１３に対して６条刈の上部伝動筒１３の場合は、前記左側上部伝動筒３２、右側上部伝動筒３３および中間上部伝動筒３９はそのままで、前記スペーサ３７よりも長いスペーサ４０を前記左側上部伝動筒３２と前記中間上部伝動筒３９との間に設け、前記取付部３８に逆Ｌ型形状の下向き伝動筒１９の上部を取付け、該下向き伝動筒１９に２個の引起装置１８を取付けて構成する。したがって、左側上部伝動筒３２および右側上部伝動筒３３は全ての刈取部５に対応でき、５条刈の上部伝動筒１３と６条刈の上部伝動筒１３で前記中間上部伝動筒３９を対応させることができる。
　しかして、第１２図に示したように、前記縦支持筒６の上部は、左右方向の入力伝動筒４１に取付け、該入力伝動筒４１は前記機体１側に設けた支持台４２、４２に回動自在に取付け、刈取部５を前記入力伝動筒４１を中心に上下回動するように取付ける。４３は刈取部上下シリンダである。入力伝動筒４１の前記操縦部４の反対側には、ギヤケース４４が設けられる。ギヤケース４４は左右に分割形成され、内側ケース４５をその内側からボルト４６により前記入力伝動筒４１に取付固定する。前記ギヤケース４４の外側ケース４７には、前記株元引継搬送装置２５と穂先引継搬送装置２６を取付ける。したがって、入力伝動筒４１とギヤケース４４は一体のものになり取付精度および強度を向上させると共に表面にボルト等を露出させない構造となる。４８は刈取部入力プーリである。
　また、第１０図、第１１図は４条刈および５条刈の伝動機構を示した実施の形態であり、４９は前記縦支持筒６内に設けた縦伝動軸、５０は前記下部伝動筒１０内に設けた下部横伝動軸、５１は前記側部伝動筒１１内に設けた側部縦伝動軸、５２は前記上部伝動筒１３内に設けた上部横伝動軸であり、これらの伝動軸は伝動機構を介して回転を伝達している。そして、前記各引起装置１８は前記したように前記上部横伝動軸５２に前記下向き伝動筒１９内の伝動軸５３を連結させて駆動させている。
　前記側部伝動筒１１の略上下中間部には側部横伝動筒５４の基部を取付け、側部横伝動筒５４の中間部には側部下向き取付筒５５の上部を取付け、該側部下向き取付筒５５内には前記株元側搬送装置２３のうち左側株元側搬送装置２３の駆動軸５６を軸装し、該駆動軸５６の下端部に駆動歯車５７を固定している。また、側部横伝動筒５４の先端には側部上向き取付筒５８の下部を固定し、側部上向き取付筒５８の上部には前記穂先側搬送装置２４のうち左側穂先側搬送装置２４のケースを取付けている。したがって、側部横伝動筒５４等の形状が簡素化されると共に穂先側搬送装置２４のケースも小型にでき、強度を向上させ、藁溜りを防止できる。
　また、前記下向き伝動筒１９のうち逆さＴ型形状に形成されたものの二又筒部５９には、下方に伸びる下向き取付筒６０の上部を固定する。該下向き取付筒６０の下部には、前記穂先側搬送装置２４のうち左の外側株の進行路より内側に位置する中間穂先側搬送装置２４のケースを取付ける。該中間穂先側搬送装置２４のケースの下面には、更に下方に伸びる下向き取付筒６１の上部を固定する。下向き取付筒６１には前記株元側搬送装置２３のうち左の外側株の進行路より内側に位置する中間株元側搬送装置２３の駆動軸６２を軸装し、駆動軸６２の下部に駆動歯車６３を固定している。なお、５条刈の実施の形態において、前記下向き伝動筒１９のうち逆さＬ型形状に形成されたものは、前記下向き伝動筒１９のうち逆さＴ型形状に形成されたものの二又筒部５９の一部を利用し、部品の共通化を図っている。
　また、前記下部伝動筒１０には上向き取付筒６４の下部を取付け、該上向き取付筒６４内には前記株元側搬送装置２３のうち右側株元側搬送装置２３の駆動軸６５を軸装し、該駆動軸６５の上部に駆動歯車６６を固定している。
　以上のように、前記側部伝動筒１１と前記側部支持フレーム１２の間の穀稈搬送通路内の下部伝動筒１０には、上方に突き出る伝動筒がないので、円滑に搬送できる。
　しかして、第１３図〜第１５図は、前記穂先掻込装置２０および株元掻込装置２１のうち中央の一対の穂先掻込装置２０および株元掻込装置２１の取付構造を示したものであり、穂先掻込装置２０および株元掻込装置２１の伝動筒６７、６７を左右方向の連結杆６８で連結し、連結杆６８の中央部にはステー６９を設ける。ステー６９にはＳ字形状の支持筒７０の中間部を固定し、支持筒７０の先端は前記分草杆１６に固定する支持筒７０の上部は前記下向き取付筒６０に固定する。したがって、支持筒７０は前記刈取部フレーム７の強度メンバーとなり、刈取部フレーム７の強度を向上させ、穂先掻込装置２０および株元掻込装置２１ばかりでなく、株元側搬送装置２３と穂先側搬送装置２４をも支持する。また、株元掻込装置２１の下方に支持フレームがないので、藁屑・泥土の詰まりも防止する。
　７１は他の中間位置にある穂先掻込装置２０および株元掻込装置２１の支持筒であり、先端を前記分草杆１６に固定し、中間部を穂先掻込装置２０および株元掻込装置２１の伝動筒７２に固定し、上部は別の前記下向き取付筒６０に固定する。
　しかして、前記上向き取付筒６４に軸装した駆動軸６５の上端には、後側株元搬送装置２７の駆動歯車７３を固定する。前記上向き取付筒６４の上部にはステー７４を回動自在に取付ける。ステー７４には、後側株元搬送装置２７のチエン７５の案内レール７６の基部を固定する。案内レール７６の先端には、ステー７７を取付け、該ステー７７には軸７８を取付け、軸７８には案内ローラ７９を取付ける。
　前記縦支持筒６には支持筒８０の基部を取付け、支持筒８０にはロック用ステー８１を固定し、該ロック用ステー８１には前記軸７８が係合する係合溝８２を形成する。前記ロック用ステー８１には前記係合溝８２に係合した軸７８をロックするロック爪８３を取付ける。８４は操作レバーであり、基部を前記ロック爪８３に固定する。
　後側株元搬送装置２７は前記上向き取付筒６４を中心に外側回動させることができ、容易にメンテナンスを行うことができる。
　また、前記駆動軸６５にはテンションアーム８５の中央部を軸着し、一端にはテンションローラ８６を取付け、テンションローラ８６を前記チエン７５に当接させる。テンションアーム８５の他端にはテンションバネ８７の一端を係止し、テンションバネ８７の他端は前記案内レール７６側に係止する。したがって、後側株元搬送装置２７のチエンの張具合の調節も容易であり、また、後側株元搬送装置２７を回動させてもチエンの張には影響ない。
　次に作用を述べる。
　上記の構成であるから、機体１３を前進させると、各分草体１７により分草し、分草された穀稈は、引起装置１８により引起され、穂先側掻込装置２０、株元側掻込装置２１により後方に掻込まれ、株元側搬送装置２３により株元が挾持され、穂先側搬送装置２４により穂先側が搬送されて搬送通路を通り、後側株元搬送装置２７により一箇所の引継部に搬送されて株元引継搬送装置２５及び穂先引継搬送装置２６に引継がれ、該株元引継搬送装置２５及び穂先引継搬送装置２６により脱穀室の側部の穀稈供給装置に引継がれ、該穀稈供給装置により脱穀室に供給されて脱穀される。
　この場合、刈取部５は、刈取る穀稈の条数に対応させて前記引起装置１８等を配置しているため、３条刈と４条刈とを比較すると、刈幅が広がるばかりでなく、刈取部５の刈取部フレ−ム７の左右幅も広くなる。したがって、例えば、３条刈用の刈取部フレ−ム７や４条刈用の刈取部フレ−ム７と刈取る穀稈の条数に対応して刈取部フレ−ム７を種々製造する必要性が生じる。
　しかしながら、刈取部フレ−ム７の下部伝動筒１０は、機体１側に基部を取付けた縦支持筒６の下部に固定する中央下部伝動筒２８と、側部伝動筒１１の下部を取付ける左側下部伝動筒２９と、側部支持フレ−ム１２の下部を取付ける右側下部伝動筒３０とにより３分割して基本構成としているから、各伝動筒２８等の組立て分解が容易となり、強度も向上する。
　そして、４条刈の下部伝動筒１０に対して５条刈の下部伝動筒１０の場合は、前記中央下部伝動筒２８はそのままで、前記右側下部伝動筒３０および左側下部伝動筒２９を一株間の距離分の長さ約３０ｃｍだけ長く形成してそれぞれを固定し、６条刈の下部伝動筒１０の場合は、前記中央下部伝動筒２８、前記左側下部伝動筒２９および右側下部伝動筒３０はそのままで、更に一株間の距離分の長さ約３０ｃｍのスペ−サ３１を前記中央下部伝動筒２８と左側下部伝動筒２９との間に設け、それぞれを固定する構成であるから、中央下部伝動筒２８は全ての刈取部５に対応でき、５条刈の下部伝動筒１０と６条刈の下部伝動筒１０で前記右側下部伝動筒３０および左側下部伝動筒２９を対応させることができ、多条刈に変更するにも容易に対応でき、生産性も向上させる。
　また、前記上部伝動筒１３は、左側上部伝動筒３２と右側上部伝動筒３３とにより構成し、前記左側上部伝動筒３２には二箇所の取付部３４、取付部３５を形成しているので、各種の長さのスペ−サ３６を介在させるだけで、例えば、３条刈から６条刈の上部伝動筒１３とすることができる。
　これにより、条数の異なる多条刈コンバインを製作するとき、下部伝動筒１０を、中央下部伝動筒２８に長さの異なる左側下部伝動筒２９および右側下部伝動筒３０を接合させるのみで製作できるから、生産性を向上させるばかりでなく、安価にできるという効果を奏する。また、上部伝動軸１３を分割する構成とするときは、更に安価になる特徴を有する。
【図面の簡単な説明】
　【図１】
　コンバインの刈取部の側面図。
　【図２】
　コンバインの刈取部の平面図。
　【図３】
　４条刈用の下部伝動筒の正面図。
　【図４】
　５条刈用の下部伝動筒の正面図。
　【図５】
　６条刈用の下部伝動筒の正面図。
　【図６】
　３条刈用の上部伝動筒の正面図。
　【図７】
　４条刈用の上部伝動筒の正面図。
　【図８】
　５条刈用の上部伝動筒の正面図。
　【図９】
　６条刈用の上部伝動筒の正面図。
　【図１０】
　４条刈用の伝動機構を表す断面図。
　【図１１】
　５条刈用の伝動機構を表す断面図。
　【図１２】
　ギヤケ−ス部の正面図。
　【図１３】
　要部の側面図。
　【図１４】
　掻込装置の取付状態を表す斜視図。
　【図１５】
　刈取装置の一部の説明用平面図。
　【図１６】
　刈取装置の説明用平面図。
　【図１７】
　後側株元搬送装置のロック装置の斜視図。
　【符号の説明】
　　
１
機体
　　
６
縦支持筒
　
１０
下部伝動筒
　
１１
側部伝動筒
　
１２
側部支持フレーム
　１７　分草体
　１８　引起装置
　２２　刈刃
　２３　株元側搬送装置
　２４　穂先側搬送装置
　
２８
中央下部伝動筒
　
２９
左側下部伝動筒
　
３０
右側下部伝動筒
　
４８
刈取部入力プーリ
　
４９
縦伝動軸
　
５０
下部横伝動軸
　
５１
側部縦伝動軸
　５２　上部横伝動軸
　
５４
側部横伝動筒
　
６５
駆動軸
　　Ａ　伝動軸